(57)【要約】【課題】ユーザの使い勝手がよく、より効率的に映像データを外部記憶媒体にダビングできる映像記録装置を提供する。【解決手段】デジタル放送記録装置１００において、ＤＶＤにダビングする番組のタイトルと、開始条件として、ＨＤＤ６におけるダビング予約データファイル１２Ｂに記憶されたタイトルの番組データの数又はデータ量とを記憶するダビング予約データファイル１２Ｂと、ＣＰＵ１０に、ＨＤＤ６に記憶された番組データであって、ダビング予約された番組データの数又はデータ量が、ダビング予約データファイル１２Ｂに記憶された開始条件に達したか否かを判断させる判断プログラム１２Ｅと、当該番組データの数又はデータ量が、ダビング予約データファイル１２Ｂに記憶された開始条件に達したと判断した場合に、ＤＶＤに、当該番組データをダビングさせるダビングプログラム１２Ｉと、を備えた。【選択図】図２
2008066862.tif 000002
【特許請求の範囲】
【請求項１】
放送信号を受信して当該放送信号に含まれる番組データを記憶部に備えられた第１の記憶媒体に記憶するとともに、前記記憶部に記憶された番組データを第２の記憶媒体にダビングする映像記録装置において、
前記第２の記憶媒体にダビングする番組のタイトルを記憶するダビング予約記憶手段と、
前記記憶部における前記ダビング予約記憶手段に記憶されたタイトルの番組データが前記第２の記憶媒体にダビングされる開始条件として、番組データの数又は番組データのデータ量を記憶する条件記憶手段と、
前記記憶部に記憶された番組データであって、前記ダビング予約記憶手段に記憶されたタイトルの番組の番組データの数又は番組データのデータ量が、前記条件記憶手段に記憶された開始条件に達したか否かを判断する判断手段と、
前記判断手段により、前記記憶部に記憶された番組データであって、前記ダビング予約記憶手段に記憶されたタイトルの番組の番組データの数又はデータ量が、前記条件記憶手段に記憶された開始条件に達したと判断された場合に、前記第２の記憶媒体に、前記記憶部に記憶された番組データであって、前記ダビング予約記憶手段に記憶されたタイトルの番組の番組データをダビングするダビング手段と、
前記記憶部に記憶された番組データを前記ダビング手段により前記第２の記憶媒体にダビングする際に、前記番組データの所定部分を削除する削除手段と、
前記第２の記憶媒体にダビングされる番組データのデータ量が前記第２の記憶媒体に記憶可能な記憶容量以下か否かを判断する容量確認手段と、
前記容量確認手段により、前記第２の記憶媒体にダビングされる番組データのデータ量が前記第２の記憶媒体に記憶可能な記憶容量を超えていると判断された場合に、当該データ量が前記第２の記憶媒体に記憶可能な記憶容量以下となるように前記番組データのデータ量を削減して当該番組データの画質を調整する画質調整手段と、
を備えることを特徴とする映像記録装置。
【請求項２】
放送信号を受信して当該放送信号に含まれる番組データを記憶部に備えられた第１の記憶媒体に記憶するとともに、前記記憶部に記憶された番組データを第２の記憶媒体にダビングする映像記録装置において、
前記第２の記憶媒体にダビングする番組のタイトルを記憶するダビング予約記憶手段と、
前記記憶部における前記ダビング予約記憶手段に記憶されたタイトルの番組データが前記第２の記憶媒体にダビングされる開始条件として、番組データの数又は番組データのデータ量を記憶する条件記憶手段と、
前記記憶部に記憶された番組データであって、前記ダビング予約記憶手段に記憶されたタイトルの番組の番組データの数又は番組データのデータ量が、前記条件記憶手段に記憶された開始条件に達したか否かを判断する判断手段と、
前記判断手段により、前記記憶部に記憶された番組データであって、前記ダビング予約記憶手段に記憶されたタイトルの番組の番組データの数又はデータ量が、前記条件記憶手段に記憶された開始条件に達したと判断された場合に、前記第２の記憶媒体に、前記記憶部に記憶された番組データであって、前記ダビング予約記憶手段に記憶されたタイトルの番組の番組データをダビングするダビング手段と、
を備えることを特徴とする映像記録装置。
【請求項３】
前記記憶部に記憶された番組データを前記ダビング手段により前記第２の記憶媒体にダビングする際に、前記番組データの所定部分を削除する削除手段を備えることを特徴とする請求項２に記載の映像記録装置。
【請求項４】
前記第２の記憶媒体にダビングされる番組データのデータ量が前記第２の記憶媒体に記憶可能な記憶容量以下か否かを判断する容量確認手段を備え、
前記ダビング手段は、前記第２の記憶媒体にダビングされる番組データのデータ量が前記第２の記憶媒体に記憶可能な記憶容量以下であると判断された場合に、前記番組データを前記第２の記憶媒体にダビングすることを特徴とする請求項２又は３に記載の映像記録装置。
【請求項５】
前記容量確認手段により、前記第２の記憶媒体にダビングされる番組データのデータ量が前記第２の記憶媒体に記憶可能な記憶容量を超えていると判断された場合に、データ量が前記第２の記憶媒体に記憶可能な記憶容量以下となるように前記番組データのデータ量を削減して当該番組データの画質を調整する画質調整手段を備えることを特徴とする請求項４に記載の映像記録装置。
【発明の詳細な説明】
【技術分野】
【０００１】
本発明は、映像記録装置に関する。
【背景技術】
【０００２】
従来、映像記録装置の本体に備えられたＨＤＤ（Hard  Disk  Drive）等の記憶媒体に録画した映像データを、ＤＶＤ（Digital  Versatile  Disk）等の当該映像記録装置の外部の記憶媒体にダビングすることができる映像記録装置が知られている。例えば、毎週同じチャンネルで同じ時間帯の番組が映像記録装置の本体に備えられたＨＤＤ内に録画される度に、当該番組データをＤＶＤに自動でダビングするものが知られている（例えば、特許文献１）。
また、映像記録装置の本体に備えられたＨＤＤ内に録画された映像データを、当該ＨＤＤの空き容量が所定値以下となった場合に、ネットワークを介して接続されたサーバに当該映像データを送信して当該サーバに記憶させるようにしたものも知られている（例えば、特許文献２，３）。具体的には、例えば、映像記録装置本体のＨＤＤの空き容量が所定値以下となった場合に、ユーザにより選択されたジャンル等に合致する映像データのみをネットワークを介して接続されたサーバに送信させて記憶させるものが知られている（例えば、特許文献３）。
【特許文献１】特開２００５−３４７９９７号公報
【特許文献２】特開２００５−１７５８８４号公報
【特許文献３】特開２００４−３２８６０３号公報
【発明の開示】
【発明が解決しようとする課題】
【０００３】
しかしながら、特許文献１のように、毎週同じチャンネルで同じ時間帯の番組がＨＤＤに録画される度に、当該番組データをＤＶＤにダビングすることとすると、その度に、ＤＶＤ記録装置を立ち上げたり、当該ＤＶＤに管理情報を書き込まなければならなかったりするため、非効率的である。また、特許文献２及び３では、映像記録装置本体のＨＤＤの空き容量が所定値以下となった場合に、ユーザにより選択されたジャンル等に合致する映像データのみをネットワークを介して接続されたサーバに送信させて記憶させているが、これは、ＨＤＤの空き容量を確保するためのものであり、ユーザが所望するタイミングでのダビングではないので、ユーザにとって使い勝手が悪いという問題点があった。
【０００４】
本発明の課題は、ユーザの使い勝手がよく、より効率的に映像データを外部記憶媒体にダビングできる映像記録装置を提供することである。
【課題を解決するための手段】
【０００５】
請求項１に記載の発明は、放送信号を受信して当該放送信号に含まれる番組データを記憶部に備えられた第１の記憶媒体に記憶するとともに、前記記憶部に記憶された番組データを第２の記憶媒体にダビングする映像記録装置において、
前記第２の記憶媒体にダビングする番組のタイトルを記憶するダビング予約記憶手段と、
前記記憶部における前記ダビング予約記憶手段に記憶されたタイトルの番組データが前記第２の記憶媒体にダビングされる開始条件として、番組データの数又は番組データのデータ量を記憶する条件記憶手段と、
前記記憶部に記憶された番組データであって、前記ダビング予約記憶手段に記憶されたタイトルの番組の番組データの数又は番組データのデータ量が、前記条件記憶手段に記憶された開始条件に達したか否かを判断する判断手段と、
前記判断手段により、前記記憶部に記憶された番組データであって、前記ダビング予約記憶手段に記憶されたタイトルの番組の番組データの数又はデータ量が、前記条件記憶手段に記憶された開始条件に達したと判断された場合に、前記第２の記憶媒体に、前記記憶部に記憶された番組データであって、前記ダビング予約記憶手段に記憶されたタイトルの番組の番組データをダビングするダビング手段と、
前記記憶部に記憶された番組データを前記ダビング手段により前記第２の記憶媒体にダビングする際に、前記番組データの所定部分を削除する削除手段と、
前記第２の記憶媒体にダビングされる番組データのデータ量が前記第２の記憶媒体に記憶可能な記憶容量以下か否かを判断する容量確認手段と、
前記容量確認手段により、前記第２の記憶媒体にダビングされる番組データのデータ量が前記第２の記憶媒体に記憶可能な記憶容量を超えていると判断された場合に、データ量が前記第２の記憶媒体に記憶可能な記憶容量以下となるように前記番組データのデータ量を削減して当該番組データの画質を調整する画質調整手段と、
を備えることを特徴としている。
【０００６】
請求項２に記載の発明は、放送信号を受信して当該放送信号に含まれる番組データを記憶部に備えられた第１の記憶媒体に記憶するとともに、前記記憶部に記憶された番組データを第２の記憶媒体にダビングする映像記録装置において、
前記第２の記憶媒体にダビングする番組のタイトルを記憶するダビング予約記憶手段と、
前記記憶部における前記ダビング予約記憶手段に記憶されたタイトルの番組データが前記第２の記憶媒体にダビングされる開始条件として、番組データの数又は番組データのデータ量を記憶する条件記憶手段と、
前記記憶部に記憶された番組データであって、前記ダビング予約記憶手段に記憶されたタイトルの番組の番組データの数又は番組データのデータ量が、前記条件記憶手段に記憶された開始条件に達したか否かを判断する判断手段と、
前記判断手段により、前記記憶部に記憶された番組データであって、前記ダビング予約記憶手段に記憶されたタイトルの番組の番組データの数又はデータ量が、前記条件記憶手段に記憶された開始条件に達したと判断された場合に、前記第２の記憶媒体に、前記記憶部に記憶された番組データであって、前記ダビング予約記憶手段に記憶されたタイトルの番組の番組データをダビングするダビング手段と、
を備えることを特徴としている。
【０００７】
請求項３に記載の発明は、請求項２に記載の映像記録装置において、
前記記憶部に記憶された番組データを前記ダビング手段により前記第２の記憶媒体にダビングする際に、前記番組データの所定部分を削除する削除手段を備えることを特徴としている。
【０００８】
請求項４に記載の発明は、請求項２又は３に記載の映像記録装置において、
前記第２の記憶媒体にダビングされる番組データのデータ量が前記第２の記憶媒体に記憶可能な記憶容量以下か否かを判断する容量確認手段を備え、
前記ダビング手段は、前記第２の記憶媒体にダビングされる番組データのデータ量が前記第２の記憶媒体に記憶可能な記憶容量以下であると判断された場合に、前記番組データを前記第２の記憶媒体にダビングすることを特徴としている。
【０００９】
請求項５に記載の発明は、請求項４に記載の映像記録装置において、
前記容量確認手段により、前記第２の記憶媒体にダビングされる番組データのデータ量が前記第２の記憶媒体に記憶可能な記憶容量を超えていると判断された場合に、データ量が前記第２の記憶媒体に記憶可能な記憶容量以下となるように前記番組データのデータ量を削減して当該番組データの画質を調整する画質調整手段を備えることを特徴としている。
【発明の効果】
【００１０】
請求項１に記載の発明によれば、ダビング予約記憶手段により、第２の記憶媒体にダビングする番組のタイトルが記憶され、条件記憶手段により、記憶部におけるダビング予約記憶手段に記憶されたタイトルの番組データが第２の記憶媒体にダビングされる開始条件として、番組データの数又は番組データのデータ量が記憶され、判断手段により、記憶部に記憶された番組データであって、ダビング予約記憶手段に記憶されたタイトルの番組の番組データの数又は番組データのデータ量が、条件記憶手段に記憶された開始条件に達したか否かが判断され、ダビング手段により、判断手段によって、記憶部に記憶された番組データであって、ダビング予約記憶手段に記憶されたタイトルの番組の番組データの数又はデータ量が、条件記憶手段に記憶された開始条件に達したと判断された場合に、第２の記憶媒体に、記憶部に記憶された番組データであって、ダビング予約記憶手段に記憶されたタイトルの番組の番組データがダビングされるので、第２の記憶媒体にダビングする番組データの数又はデータ量が記憶部に所定量記憶された場合に、当該番組データが第２の記憶媒体にダビングされることとなって、番組データが記憶部に記憶される度に第２の記憶媒体にダビングするのに比べて、より効率的に映像データを第２の記憶媒体にダビングすることができる。
また、同一のタイトルの番組データをユーザが所望するタイミングで第２の記憶媒体にダビングすることができることとなって、ユーザにとって使い勝手よく映像データを第２の記憶媒体にダビングすることができる。
【００１１】
また、削除手段により、記憶部に記憶された番組データをダビング手段によって第２の記憶媒体にダビングする際に、番組データの所定部分が削除されるので、例えばＣＭ部分や同一番組におけるオープニングやエンディング等の共通部分を削除することができることとなって、第２の記憶媒体に記録する番組データのデータ量を低減することができ、より多くの番組を第２の記憶媒体に記録することができる。
【００１２】
また、容量確認手段により、第２の記憶媒体にダビングされる番組データのデータ量が第２の記憶媒体に記憶可能な記憶容量以下か否かが判断され、ダビング手段は、容量確認手段によって第２の記憶媒体にダビングされる番組データのデータ量が第２の記憶媒体に記憶可能な記憶容量以下であると判断された場合に、番組データを第２の記憶媒体にダビングするので、自動的に番組データのデータ量と第２の記憶媒体に記憶可能な記憶容量とが確認されることとなって、より好適に映像データを第２の記憶媒体にダビングすることができる。
【００１３】
また、画質調整手段により、容量確認手段によって、第２の記憶媒体にダビングされる番組データのデータ量が第２の記憶媒体に記憶可能な記憶容量を超えていると判断された場合に、データ量が第２の記憶媒体に記憶可能な記憶容量以下となるように番組データのデータ量を削減して当該番組データの画質が調整されるので、万が一、番組データのデータ量が第２の記憶媒体に記憶可能な記憶容量を越してしまった場合でも、当該番組データの画質調整が行われて第２の記憶媒体にダビングされることとなって、さらに好適に映像データをダビングすることができる。
【００１４】
請求項２に記載の発明によれば、ダビング予約記憶手段により、第２の記憶媒体にダビングする番組のタイトルが記憶され、条件記憶手段により、記憶部におけるダビング予約記憶手段に記憶されたタイトルの番組データが第２の記憶媒体にダビングされる開始条件として、番組データの数又は番組データのデータ量が記憶され、判断手段により、記憶部に記憶された番組データであって、ダビング予約記憶手段に記憶されたタイトルの番組の番組データの数又は番組データのデータ量が、条件記憶手段に記憶された開始条件に達したか否かが判断され、ダビング手段により、判断手段によって、記憶部に記憶された番組データであって、ダビング予約記憶手段に記憶されたタイトルの番組の番組データの数又はデータ量が、条件記憶手段に記憶された開始条件に達したと判断された場合に、第２の記憶媒体に、記憶部に記憶された番組データであって、ダビング予約記憶手段に記憶されたタイトルの番組の番組データがダビングされるので、第２の記憶媒体にダビングする番組データの数又はデータ量が記憶部に所定量記憶された場合に、当該番組データが第２の記憶媒体にダビングされることとなって、番組データが記憶部に記憶される度に第２の記憶媒体にダビングするのに比べて、より効率的に映像データを第２の記憶媒体にダビングすることができる。
また、同一のタイトルの番組データをユーザが所望するタイミングで第２の記憶媒体にダビングすることができることとなって、ユーザにとって使い勝手よく映像データを第２の記憶媒体にダビングすることができる。
【００１５】
請求項３に記載の発明によれば、請求項２に記載の発明と同様の効果が得られることは勿論のこと、特に、削除手段により、記憶部に記憶された番組データをダビング手段によって第２の記憶媒体にダビングする際に、番組データの所定部分が削除されるので、例えばＣＭ部分や同一番組におけるオープニングやエンディング等の共通部分を削除することができることとなって、第２の記憶媒体に記録する番組データのデータ量を低減することができ、より多くの番組を第２の記憶媒体に記録することができる。
【００１６】
請求項４に記載の発明によれば、請求項２又は３に記載の発明と同様の効果が得られることは勿論のこと、特に、容量確認手段により、第２の記憶媒体にダビングされる番組データのデータ量が第２の記憶媒体に記憶可能な記憶容量以下か否かが判断され、ダビング手段は、容量確認手段によって第２の記憶媒体にダビングされる番組データのデータ量が第２の記憶媒体に記憶可能な記憶容量以下であると判断された場合に、番組データを記憶媒体にダビングするので、自動的に番組データのデータ量と第２の記憶媒体に記憶可能な記憶容量とが確認されることとなって、より好適に映像データを第２の記憶媒体にダビングすることができる。
【００１７】
請求項５に記載の発明によれば、請求項４に記載の発明と同様の効果が得られることは勿論のこと、特に、画質調整手段により、容量確認手段によって、第２の記憶媒体にダビングされる番組データのデータ量が第２の記憶媒体に記憶可能な記憶容量を超えていると判断された場合に、データ量が第２の記憶媒体に記憶可能な記憶容量以下となるように番組データのデータ量を削減して当該番組データの画質が調整されるので、万が一、番組データのデータ量が第２の記憶媒体に記憶可能な記憶容量を越してしまった場合でも、当該番組データの画質調整が行われて第２の記憶媒体にダビングされることとなって、さらに好適に映像データをダビングすることができる。
【発明を実施するための最良の形態】
【００１８】
以下、図を参照して、本発明に係る映像記録装置を実施するための最良の形態を詳細に説明する。なお、本実施形態では、映像記録装置としてデジタル放送記録装置を例に挙げて説明する。
【００１９】
まず、本発明に係るデジタル放送記録装置１００の構成について図１，図２を参照しながら説明する。本実施形態に係るデジタル放送記録装置１００は、例えば、図１，図２に示すように、アンテナ１，チューナ部２，復調部３，デコーダ４，エンコーダ５，ＨＤＤ６，入力部７，通信部８，制御部９等を備えて構成され、表示装置２００，音出力装置３００，ＤＶＤ記録装置４００等と接続されている。
【００２０】
アンテナ１は、例えば、パラボラアンテナやＵＨＦアンテナ等であり、地上波デジタル放送，ＢＳ・ＣＳ放送等のデジタル放送信号を含む放送波を受信し、地上波デジタル信号，ＢＳ・ＣＳ放送信号等のＲＦ信号をチューナ部２に出力する。なお、ＣＡＴＶ回線を介して放送を受信する場合には、接続ケーブル（図示省略）等が備えられてもよい。
【００２１】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００２２】
復調部３は、例えば、チューナ部２から入力されるデジタルデータに復調処理等を行って、デコーダ４に出力する。
【００２３】
デコーダ４は、例えば、復調部３から入力されるデジタルデータに復号処理等を行って映像データ，音声データを生成し、表示装置２００，音出力装置３００等に出力する。
【００２４】
エンコーダ５は、例えば、デコーダ４からＣＰＵ１０を介して出力される映像データ，音声データに符号化処理を行い、ＨＤＤ６に出力する。
【００２５】
ＨＤＤ６は、例えば、第１の記憶媒体としての磁気的記憶媒体等を備えて構成され、エンコーダ５から入力された映像データ及び音声データを記憶し、記憶部として機能する。
【００２６】
入力部７は、例えば、各種の操作信号を入力するための各種のキー等を備え、ユーザにより操作されることによって、各種の操作信号を制御部９に出力する。
【００２７】
通信部８は、例えば、入出力端子等を備えて構成され、当該デジタル放送記録装置１００とＤＶＤ記録装置４００との間の通信を行う。
【００２８】
制御部９は、例えば、図２に示すように、ＣＰＵ（Central  Processing  Unit）１０，ＲＡＭ（Random  Access  Memory）１１，データ・プログラム記憶部１２等を備えて構成される。
【００２９】
ＣＰＵ１０は、例えば、データ・プログラム記憶部１２に格納された処理プログラム等を読み出して、ＲＡＭ１１に展開して実行することにより、デジタル放送記録装置１００全体の制御を行う。
【００３０】
ＲＡＭ１１は、ＣＰＵ１０により実行された処理プログラム等を、ＲＡＭ１１内のプログラム格納領域に展開するとともに、入力データや上記処理プログラムが実行される際に生じる処理結果等をデータ格納領域に格納する。
【００３１】
データ・プログラム記憶部１２は、例えば、プログラムやデータ等が予め記憶されている記憶媒体（図示せず）を有しており、この記憶媒体は、例えば、半導体メモリ等で構成されている。また、データ・プログラム記憶部１２は、ＣＰＵ１０がデジタル放送記録装置１００全体を制御する機能を実現させるための各種データ，各種処理プログラム，これらプログラムの実行により処理されたデータ等を記憶する。より具体的には、データ・プログラム記憶部１２は、例えば、図２に示すように、録画予約データファイル１２Ａ，ダビング予約データファイル１２Ｂ，，録画プログラム１２Ｃ，容量確認プログラム１２Ｄ，判断プログラム１２Ｅ，加工プログラム１２Ｆ，画質調整プログラム１２Ｇ，媒体確認プログラム１２Ｈ，ダビングプログラム１２Ｉ等を格納している。
【００３２】
録画予約データファイル１２Ａは、例えば、ＨＤＤ６に記憶させる番組のタイトルと当該番組の放送開始時間及び放送終了時間とを関連づけて記憶している。ここで、放送開始時間及び放送終了時間は、例えば、ＥＰＧ（Electric  Program  Guide）データから取得されるようになっている。
【００３３】
ダビング予約データファイル１２Ｂは、例えば、図３に示すように、第２の記憶媒体としてのＤＶＤにダビングする番組データの番組のタイトルを記憶している。ここで、ＤＶＤにダビングする番組データの番組のタイトルは、ＥＰＧデータに基づいて表示装置２００に表示される電子番組表の中から、ユーザが入力部７を操作することにより選択されて、ダビング予約データファイル１２Ｂに記憶されるようになっている。
また、ダビング予約データファイル１２Ｂは、例えば、図３に示すように、ＨＤＤ６からＤＶＤにダビングされる番組データのタイトルと、ＤＶＤにダビングを開始する開始条件として、ダビング予約データファイル１２Ｂに記憶されたタイトルの番組データの数又はデータ量とを対応付けて記憶している。ここで、ＤＶＤにダビングを開始する開始条件として記憶される番組データの数又はデータ量は、一度のダビングで一つのＤＶＤに記憶される番組データの数又はデータ量に相当する。また、ＤＶＤにダビングを開始する開始条件としての当該番組データの数及びデータ量は、ユーザが入力部７を操作することにより制御部９に入力されるようになっている。
また、ダビング予約データファイル１２Ｂは、例えば、図３に示すように、ＨＤＤ６からＤＶＤにダビングされる番組データのタイトルと、当該番組データがＤＶＤにダビングされる際に、後述する加工プログラム１２Ｆを実行して当該番組データの共通部分及び当該番組データに含まれるＣＭ部分を削除するか否か，後述する画質調整プログラム１２Ｇを実行して当該番組データの画質を調整するか否か等の設定条件とを対応付けて記憶している。
データ・プログラム記憶部１２は、かかるダビング予約データファイル１２Ｂを格納することにより、ダビング予約記憶手段及び条件記憶手段として機能する。
【００３４】
録画プログラム１２Ｃは、例えば、ＣＰＵ１０に、録画予約データファイル１２Ａに記憶されているタイトルの番組データをＨＤＤ６に記憶させる機能を実現させるプログラムである。より具体的には、録画プログラム１２Ｃは、例えば、ＣＰＵ１０に、録画予約データファイル１２Ａを参照して録画予約されているタイトルと当該タイトルの番組の放送開始時間及び放送終了時間とを抽出し、当該放送開始時間において、チューナ部２を制御して当該タイトルの番組データを受信させ、復調部３，デコーダ４，エンコーダ５を制御して当該番組データに所定の処理を行ってＨＤＤ６への記憶を開始し、当該放送終了時間において、当該番組データのＨＤＤ６への記憶を終了する機能を実現させるプログラムである。
【００３５】
容量確認プログラム１２Ｄは、例えば、ＣＰＵ１０に、ＤＶＤにダビングされる番組データのデータ量がＤＶＤに記憶可能な記憶容量以下か否かを判断する機能を実現させるプログラムである。
より具体的には、容量確認プログラム１２Ｄは、例えば、ＣＰＵ１０に、ユーザが入力部７を操作することにより、ＨＤＤ６におけるダビング予約データファイル１２Ｂに記憶されたタイトルの番組データがＤＶＤにダビングされる開始条件として、番組データの数又はデータ量が入力された場合に、ＥＰＧデータから当該番組データの数に対応するデータ量を取得することにより、ＤＶＤにダビングされる番組データのデータ量を取得し、取得したデータ量がＤＶＤに記憶可能な記憶容量以下か否かを判断し、当該データ量がＤＶＤに記憶可能な記憶容量より多いと判断した場合に、入力部７から入力される操作信号に基づいて、当該番組データの共通部分及び当該番組データのＣＭ部分を削除するか否かを判断し、当該番組データの共通部分及びＣＭ部分を削除すると判断した場合に、当該番組データの共通部分及びＣＭ部分が削除された場合の当該番組データのデータ量を算出し、算出したデータ量がＤＶＤに記憶可能な記憶容量以下か否かを判断し、当該番組データの共通部分及びＣＭ部分を削除しないと判断した場合、及び、当該番組データの共通部分及びＣＭ部分が削除された場合の当該番組データのデータ量がＤＶＤに記憶可能な記憶容量より多いと判断した場合に、入力部７から入力される操作信号に基づいて、当該番組データのデータ量がＤＶＤに記憶可能な記憶容量以下となるように当該番組データの画質を調整するか否かを判断し、当該番組データの画質を調整しないと判断した場合に、例えば、表示装置２００にＤＶＤにダビングを開始する条件としての番組データの数又はデータ量の再入力を促す所定の表示を表示させ、算出したデータ量がＤＶＤに記憶可能な記憶容量以下と判断した場合、及び、当該番組データの画質を調整すると判断した場合に、当該番組データの数又はデータ量と、当該番組データの共通部分及びＣＭ部分を削除するか否か，当該番組データの画質を調整するか否か等の設定条件と、をダビング予約データファイル１２Ｂに記憶させる機能を実現させるプログラムである。
ＣＰＵ１０は、かかる容量確認プログラム１２Ｄを実行することにより、容量確認手段として機能する。
【００３６】
判断プログラム１２Ｅは、例えば、ＣＰＵ１０に、ＨＤＤ６に記憶された番組データであって、ダビング予約データファイル１２Ｂに記憶されたタイトルの番組の番組データの数又はデータ量がダビング予約データファイル１２Ｂに記憶された開始条件に達したか否かを判断する機能を実現させるプログラムである。ＣＰＵ１０は、かかる判断プログラム１２Ｅを実行することにより、判断手段として機能する。
【００３７】
加工プログラム１２Ｆは、例えば、ＣＰＵ１０に、ＨＤＤ６に記憶された番組データをＤＶＤにダビングする際に、当該番組データの共通部分及びＣＭ部分を削除する機能を実現させるプログラムである。
より具体的には、加工プログラム１２Ｆは、例えば、ＣＰＵ１０に、ダビング予約データファイル１２Ｂを参照して、当該番組データの共通部分及びＣＭ部分を削除するか否かについての設定条件を抽出し、当該設定条件に基づいて、当該番組データの共通部分及びＣＭ部分を削除するか否かを判断し、当該番組データの共通部分及びＣＭ部分を削除すると判断した場合に、削除処理を実行する機能を実現させるプログラムである。
なお、共通部分か否かの判断は、例えば、画像データの一致度を算出して判断してもよいし、予め定められた部分（例えば、冒頭から３分）を共通部分とみなしてもよい。また、ＣＭ部分の削除は、公知の方法を用いる。
ＣＰＵ１０は、かかる加工プログラム１２Ｆを実行することにより、削除手段として機能する。
【００３８】
画質調整プログラム１２Ｇは、例えば、ＣＰＵ１０に、容量確認プログラム１２Ｄを実行することにより、算出したデータがＤＶＤに記憶可能な記憶容量を超えていると判断した場合に、当該データ量がＤＶＤに記憶可能な記憶容量以下となるように、当該番組データのデータ量を削減して当該番組データの画質を調整する機能を実現させるプログラムである。
より具体的には、画質調整プログラム１２Ｇは、例えば、ＣＰＵ１０に、ダビング予約データファイル１２Ｂを参照して、当該番組データの画質を調整するか否かについての設定条件を抽出し、当該設定条件に基づいて、当該番組データの画質を調整するか否かを判断し、当該番組データの画質を調整すると判断した場合に、画質調整処理を実行する機能を実現させるプログラムである。
ここで、ダビング予約データファイル１２Ｂには、ＣＰＵ１０が容量確認プログラム１２Ｄを実行することにより、算出したデータがＤＶＤに記憶可能な記憶容量を超えていると判断した場合にのみ、当該番組データの画質を調整するか否かについての設定条件が記憶されるようになっている。従って、ＣＰＵ１０は、画質調整プログラム１２Ｇを実行することより、容量確認プログラム１２Ｄを実行することによって算出したデータがＤＶＤに記憶可能な記憶容量を超えていると判断した場合にのみ、画質調整処理をすることとなる。
ＣＰＵ１０は、かかる画質調整プログラム１２Ｇを実行することにより、画質調整手段として機能する。
【００３９】
媒体確認プログラム１２Ｈは、例えば、ＣＰＵ１０に、ＤＶＤ記録装置４００に挿入されているＤＶＤが記憶可能か否かを判断する機能を実現させるプログラムである。
より具体的には、媒体確認プログラム１２Ｈは、例えば、ＣＰＵ１０に、ＤＶＤ記録装置４００に挿入されているＤＶＤが初期化されているか否か、書込可能なＤＶＤか否か等を判断する機能を実現させるプログラムである。
【００４０】
ダビングプログラム１２Ｉは、例えば、ＣＰＵ１０に、判断プログラム１２Ｅを実行することにより、ＨＤＤ６に記憶された番組データであって、ダビング予約データファイル１２Ｂに記憶されたタイトルの番組の番組データの数又はデータ量がダビング予約データファイル１２Ｂに記憶された開始条件に達したと判断した場合に、ＨＤＤ６に記憶された番組データであって、ダビング予約データファイル１２Ｂに記憶されたタイトルの番組の番組データをＤＶＤにダビングする機能を実現させるプログラムである。
より具体的には、ダビングプログラム１２Ｉは、例えば、ＣＰＵ１０に、判断プログラム１２Ｅを実行することにより、ＨＤＤ６に記憶された番組データであって、ダビング予約データファイル１２Ｂに記憶されたタイトルの番組の番組データの数又はデータ量がダビング予約データファイル１２Ｂに記憶された開始条件に達したと判断し、加工プログラム１２Ｆ及び画質調整プログラム１２Ｇを実行することにより、ダビング予約データファイル１２Ｂに記憶された設定条件に従って当該番組データに削除処理及び画質調整処理を行った場合に、通信部８を制御して、ＤＶＤ記録装置４００に、当該番組データを送信させる機能を実現させるプログラムである。
ＣＰＵ１０は、かかるダビングプログラム１２Ｉを実行することにより、ダビング手段として機能する。
【００４１】
表示装置２００は、例えば、ＬＣＤ（Liquid  Crystal  Display）やＰＤＰ（Plasma  Display  Panel）等の表示部等を備えて構成され、デコーダ４から出力される映像データに基づく映像を表示部に表示する。
【００４２】
音出力装置３００は、例えば、スピーカ等を備えて構成され、デコーダ４から出力される音声データに基づく音声を出力する。
【００４３】
ＤＶＤ記録装置４００は、例えば、ＤＶＤレコーダ等であり、デジタル放送記録装置１００から送信された番組データをＤＶＤに記憶する。
【００４４】
次に、上述のような構成のデジタル放送記録装置１００の録画動作について図４に示すフローチャートを参照しながら説明する。
まず、ＣＰＵ１０は、録画プログラム１２Ｃを実行することにより、録画予約データファイル１２Ａを参照して録画予約されているタイトルと当該タイトルの番組の放送開始時間及び放送終了時間とを抽出する（ステップＳ１）。
【００４５】
次に、ＣＰＵ１０は、現在の時刻が放送開始時刻となったか否かを判断する（ステップＳ２）。
ステップＳ２において、ＣＰＵ１０が、現在の時刻が放送開始時刻となっていないと判断した場合には（ステップＳ２；Ｎｏ）、ＣＰＵ１０は、ステップＳ２の処理を繰り返す。
ステップＳ２において、ＣＰＵ１０が、現在の時刻が放送開始時刻となったと判断した場合には（ステップＳ２；Ｙｅｓ）、ＣＰＵ１０は、当該放送開始時間において、チューナ部２を制御して当該タイトルの番組データを受信させ、復調部３，デコーダ４，エンコーダ５を制御して当該番組データに所定の処理を行ってＨＤＤ６への記憶を開始する（ステップＳ３）。
【００４６】
次に、ＣＰＵ１０は、現在の時刻が放送終了時刻となったか否かを判断する（ステップＳ４）。
ステップＳ４において、ＣＰＵ１０が、現在の時刻が放送終了時刻となっていないと判断した場合には（ステップＳ４；Ｎｏ）、ＣＰＵ１０は、ステップＳ４の処理を繰り返す。
ステップＳ４において、ＣＰＵ１０が、現在の時刻が放送終了時刻となったと判断した場合には（ステップＳ４；Ｙｅｓ）、ＣＰＵ１０は、当該放送終了時間において、当該番組データのＨＤＤ６への記憶を終了する（ステップＳ５）。
【００４７】
次に、本発明に係るデジタル放送記録装置１００のダビング予約動作について図５に示すフローチャートを参照しながら説明する。
まず、ユーザが入力部７を操作することにより、ＤＶＤにダビングする番組データのタイトルが入力されると、ＣＰＵ１０は、当該タイトルをダビング予約データファイル１２Ｂに記憶する（ステップＳ１０１）。
【００４８】
次に、ユーザが入力部７を操作することにより、ＤＶＤにダビングを開始する開始条件として、ＨＤＤ６におけるダビング予約データファイル１２Ｂに記憶されたタイトルの番組データの数又はデータ量が入力されると（ステップＳ１０２）、ＣＰＵ１０は、容量確認プログラム１２Ｄを実行することにより、ＥＰＧデータから当該番組データの数に対応するデータ量を取得することにより、ＤＶＤにダビングされる番組データのデータ量を取得し、取得したデータ量がＤＶＤに記憶可能な記憶容量以下か否かを判断する（ステップＳ１０３）。
【００４９】
ステップＳ１０３において、ＣＰＵ１０が、取得したデータ量がＤＶＤに記憶可能な記憶容量以下と判断した場合には（ステップＳ１０３；Ｙｅｓ）、ステップＳ１０８に進む。
ステップＳ１０３において、ＣＰＵ１０が、取得したデータ量がＤＶＤに記憶可能な記憶容量を超えると判断した場合には（ステップＳ１０３；Ｎｏ）、ＣＰＵ１０は、入力部７から入力される操作信号に基づいて、当該番組データの共通部分及び当該番組データのＣＭ部分を削除するか否かを判断する（ステップＳ１０４）。
【００５０】
ステップＳ１０４において、ＣＰＵ１０が、当該番組データの共通部分及び当該番組データのＣＭ部分を削除しないと判断した場合には（ステップＳ１０４；Ｎｏ）、ステップＳ１０６に進む。
ステップＳ１０４において、ＣＰＵ１０が、当該番組データの共通部分及び当該番組データのＣＭ部分を削除すると判断した場合には（ステップＳ１０４；Ｙｅｓ）、ＣＰＵ１０は、当該番組データの共通部分及びＣＭ部分が削除された場合の当該番組データのデータ量を算出し、算出したデータ量がＤＶＤに記憶可能な記憶容量以下か否かを判断する（ステップＳ１０５）。
【００５１】
ステップＳ１０５において、ＣＰＵ１０が、算出したデータ量がＤＶＤに記憶可能な記憶容量以下と判断した場合には（ステップＳ１０５；Ｙｅｓ）、ステップＳ１０８に進む。
ステップＳ１０５において、ＣＰＵ１０が、算出したデータ量がＤＶＤに記憶可能な記憶容量を超えると判断した場合には（ステップＳ１０５；Ｎｏ）、ＣＰＵ１０は、入力部７から入力される操作信号に基づいて、当該番組データのデータ量がＤＶＤに記憶可能な記憶容量以下となるように当該番組データの画質を調整するか否かを判断する（ステップＳ１０６）。
【００５２】
ステップＳ１０６において、ＣＰＵ１０が、当該番組データの画質を調整しないと判断した場合には（ステップＳ１０６；Ｎｏ）、ＣＰＵ１０は、例えば、表示装置２００にＤＶＤにダビングを開始する開始条件としての番組データの数又はデータ量の再入力を促す所定の表示を表示させ（ステップＳ１０７）、ステップＳ１０２に戻る。
ステップＳ１０６において、ＣＰＵ１０が、当該番組データの画質を調整すると判断した場合には（ステップＳ１０６；Ｎｏ）、ＣＰＵ１０は、当該番組データの数又はデータ量と、当該番組データの共通部分及びＣＭ部分を削除するか否か，当該番組データの画質を調整するか否か等の設定条件と、をダビング予約データファイル１２Ｂに記憶させ（ステップＳ１０８）、本処理を終了する。
【００５３】
次に、本発明に係るデジタル放送記録装置１００のダビング動作について図６に示すフローチャートを参照しながら説明する。
まず、ＣＰＵ１０は、判断プログラム１２Ｅを実行することにより、ＨＤＤ６に記憶された番組データであって、ダビング予約データファイル１２Ｂに記憶されたタイトルの番組の番組データの数又はデータ量がダビング予約データファイル１２Ｂに記憶された開始条件に達したか否かを判断する（ステップＳ２０１）。
【００５４】
ステップＳ２０１において、ＣＰＵ１０が、当該番組データの数又はデータ量がダビング予約データファイル１２Ｂに記憶された開始条件に達していないと判断した場合には（ステップＳ２０１；Ｎｏ）、ＣＰＵ１０は、ステップＳ２０１の処理を繰り返す。
ステップＳ２０１において、ＣＰＵ１０が、当該番組データの数又はデータ量がダビング予約データファイル１２Ｂに記憶された開始条件に達したと判断した場合には（ステップＳ２０１；Ｙｅｓ）、ＣＰＵ１０は、媒体確認プログラム１２Ｈを実行することにより、ＤＶＤ記録装置４００に挿入されているＤＶＤが記憶可能か否かを判断する（ステップＳ２０２）。
【００５５】
ステップＳ２０２において、ＣＰＵ１０が、ＤＶＤ記録装置４００に挿入されているＤＶＤが記憶可能ではないと判断した場合には（ステップＳ２０２；Ｎｏ）、ＣＰＵ１０は、表示装置２００に、ＤＶＤが記憶可能ではない旨を示す所定のエラー表示をさせ（ステップＳ２０３）、本処理を終了する。
ステップＳ２０２において、ＣＰＵ１０が、ＤＶＤ記録装置４００に挿入されているＤＶＤが記憶可能であると判断した場合には（ステップＳ２０２；Ｙｅｓ）、ＣＰＵ１０は、加工プログラム１２Ｆを実行することにより、ダビング予約データファイル１２Ｂを参照して、当該番組データの共通部分及びＣＭ部分を削除するか否かについての設定条件を抽出し、当該設定条件に基づいて、当該番組データの共通部分及びＣＭ部分を削除するか否かを判断する（ステップＳ２０４）。
【００５６】
ステップＳ２０４において、ＣＰＵ１０が、当該設定条件に基づいて、当該番組データの共通部分及びＣＭ部分を削除しないと判断した場合には（ステップＳ２０４；Ｎｏ）、ステップＳ２０６に進む。
ステップＳ２０４において、ＣＰＵ１０が、当該設定条件に基づいて、当該番組データの共通部分及びＣＭ部分を削除すると判断した場合には（ステップＳ２０４；Ｙｅｓ）、ＣＰＵ１０は、削除処理を実行する（ステップＳ２０５）。
【００５７】
次に、ＣＰＵ１０は、画質調整プログラム１２Ｇを実行することにより、ダビング予約データファイル１２Ｂを参照して、当該番組データの画質を調整するか否かについての設定条件を抽出し、当該設定条件に基づいて、当該番組データの画質を調整するか否かを判断する（ステップＳ２０６）。
【００５８】
ステップＳ２０６において、ＣＰＵ１０が、当該設定条件に基づいて、当該番組データの画質を調整しないと判断した場合には（ステップＳ２０６；Ｎｏ）、ステップＳ２０８に進む。
ステップＳ２０６において、ＣＰＵ１０が、当該設定条件に基づいて、当該番組データの画質を調整すると判断した場合には（ステップＳ２０６；Ｙｅｓ）、ＣＰＵ１０は、画質調整処理を実行する（ステップＳ２０７）。
【００５９】
次に、ＣＰＵ１０は、ダビングプログラム１２Ｉを実行することにより、通信部８を制御して、ＤＶＤ記録装置４００に、当該番組データを送信させ、ＤＶＤ記録装置４に、当該番組データをＤＶＤにダビングさせる（ステップＳ２０８）。
【００６０】
以上に説明した本実施形態に係るデジタル放送記録装置１００によれば、ダビング予約データファイル１２Ｂにより、ＤＶＤにダビングする番組のタイトルが記憶され、ダビング予約データファイル１２Ｂにより、ＨＤＤ６におけるダビング予約データファイル１２Ｂに記憶されたタイトルの番組データがＤＶＤにダビングされる開始条件として、番組データの数又は番組データのデータ量が記憶され、ＣＰＵ１０が判断プログラム１２Ｅを実行することにより、ＨＤＤ６に記憶された番組データであって、ダビング予約データファイル１２Ｂに記憶されたタイトルの番組の番組データの数又は番組データのデータ量が、ダビング予約データファイル１２Ｂに記憶された開始条件に達したか否かが判断され、ＣＰＵ１０がダビングプログラム１２Ｉを実行することにより、判断プログラム１２Ｅを実行することによって、ＨＤＤ６に記憶された番組データであって、ダビング予約データファイル１２Ｂに記憶されたタイトルの番組の番組データの数又はデータ量が、ダビング予約データファイル１２Ｂに記憶された開始条件に達したと判断された場合に、ＤＶＤに、ＨＤＤ６に録画された番組データであって、ダビング予約データファイル１２Ｂに記憶されたタイトルの番組の番組データがダビングされるので、ＤＶＤにダビングする番組データの数又はデータ量がＨＤＤ６に所定量記憶された場合に、当該番組データがＤＶＤにダビングされることとなって、番組データがＨＤＤ６に記憶される度にＤＶＤにダビングするのに比べて、より効率的に映像データをＤＶＤにダビングすることができる。
また、同一のタイトルの番組データをユーザが所望するタイミングでＤＶＤにダビングすることができることとなって、ユーザにとって使い勝手よく映像データをＤＶＤにダビングすることができる。
【００６１】
また、ＣＰＵ１０が加工プログラム１２Ｆを実行することにより、ＨＤＤ６に記憶された番組データをダビングプログラム１２Ｉを実行することによってＤＶＤにダビングする際に、番組データの所定部分が削除されるので、例えばＣＭ部分や同一番組におけるオープニングやエンディング等の共通部分を削除することができることとなって、ＤＶＤに記録する番組データのデータ量を低減することができ、より多くの番組をＤＶＤに記録することができる。
【００６２】
また、ＣＰＵ１０が容量確認プログラム１２Ｄを実行することにより、ＤＶＤにダビングされる番組データのデータ量がＤＶＤに記憶可能な記憶容量以下か否かが判断され、ＣＰＵ１０は、ダビングプログラム１２Ｉを実行することにより、容量確認プログラム１２Ｄを実行することによって当該番組データのデータ量がＤＶＤに記憶可能な記憶容量以下であると判断された場合に、番組データをＤＶＤにダビングするので、自動的に番組データのデータ量とＤＶＤに記憶可能な記憶容量とが確認されることとなって、より好適に映像データをＤＶＤにダビングすることができる。
【００６３】
また、ＣＰＵ１０が画質調整プログラム１２Ｇを実行することにより、容量確認プログラム１２Ｄを実行することによって、ＤＶＤにダビングされる番組データのデータ量がＤＶＤに記憶可能な記憶容量を超えていると判断された場合に、データ量がＤＶＤに記憶可能な記憶容量以下となるように番組データのデータ量を削減して当該番組データの画質が調整されるので、万が一、番組データのデータ量がＤＶＤに記憶可能な記憶容量を越してしまった場合でも、当該番組データの画質調整が行われてＤＶＤにダビングされることとなって、さらに好適に映像データをダビングすることができる。
【００６４】
なお、ＤＶＤ記憶装置４００は、デジタル放送記録装置１００の内部に備えられていてもよい。
また、第２の記憶媒体は、ＤＶＤに限らず、例えば、ＶＴＲ用や他のＨＤＤ用の記憶媒体であってもよい。
また、記憶部の第１の記憶媒体及び第２の記憶媒体に記憶されるデータは、デジタル放送の番組データだけに限られず、アナログ放送の番組データであってもよいし、他の映像再生装置等の外部機器から入力される映像データ等であってもよい。
また、ステップＳ１０７において、開始条件としての番組データの数又はデータ量の再入力を促す場合に、ＤＶＤに記憶可能な番組データの数又はデータ量を表示するように構成してもよい。また、ＤＶＤに記憶可能な番組データの数又はデータ量が、削除処理の有無，画質調整の有無等の設定条件毎に表示されるように構成されてもよい。
【図面の簡単な説明】
【００６５】
【図１】本発明に係るデジタル放送記録装置の概略構成を示す図である。
【図２】本発明に係るデジタル放送記録装置の構成を示すブロック図である。
【図３】本発明に係るダビング予約データファイルのデータ構造を示す図である。
【図４】本発明に係るデジタル放送記録装置の録画動作を説明するフローチャートである。
【図５】本発明に係るデジタル放送記録装置のダビング予約動作を説明するフローチャートである。
【図６】本発明に係るデジタル放送記録装置のダビング動作を説明するフローチャートである。
【符号の説明】
【００６６】
６  ＨＤＤ（記憶部）
１０  ＣＰＵ（容量確認手段，判断手段，削除手段，画質調整手段，ダビング手段）
１２  データ・プログラム記憶部（ダビング予約記憶手段，条件記憶手段）
１２Ｂ  ダビング予約データファイル（ダビング予約記憶手段，条件記憶手段）
１２Ｄ  容量確認プログラム（容量確認手段）
１２Ｅ  判断プログラム（判断手段）
１２Ｆ  加工プログラム（削除手段）
１２Ｇ  画質調整プログラム（画質調整手段）
１２Ｉ  ダビングプログラム（ダビング手段）
１００  デジタル放送記録装置（映像記録装置）
【図１】
2008066862.tif 000003
【図２】
2008066862.tif 000004
【図３】
2008066862.tif 000005
【図４】
2008066862.tif 000006
【図５】
2008066862.tif 000007
【図６】
2008066862.tif 000008